(57)【特許請求の範囲】
【請求項１】
本体の秘匿情報を記載した面に再貼付可能なカバーシートを連接した三つ折り形態の秘匿情報隠蔽郵便はがきにおいて、前記カバーシートのほぼ中央に、折り位置ガイド部を施し、且つカバーシート面の右側辺に切り取り用ミシンを施した開披開始部を設けると共に、本体カバーシート面と対向する控紙裏面側に離型剤を塗布することにより、一枚目控紙部が複写紙と剥離紙の機能を兼ね備えるようにしたことを特徴とするシーラー不要秘匿情報隠蔽郵便はがき。
【発明の詳細な説明】
【０００１】
【発明の属する技術分野】
本発明は、情報を表示した部分を往信時及び返信時において、カバーシートで隠蔽する郵便はがきに関するものである。
【０００２】
【従来の枝術】
一般に情報を隠蔽状態で特定人に伝達するには、情報が表示された面に、別途用意したカバーシート等を貼り付けて郵送するものは広く普及している。
【０００３】
この従来の隠蔽はがきは、二面で形成されており、カバーシートは返信時に使用する際のもので、用紙の一部分に貼り付ける状態で別途用意されている。
【０００４】
通常カバーシートは、本体から一度剥がした後、必要項目を追記して再度同じカバーシートを貼り付けるのが一般的であるが、剥がした際にカバーシート自体がカールしてしまい、最悪の場合、再使用ができなくなる可能性があった。
【０００５】
またカバーシートを本体から分離させる必要があるために、本体前面に再度貼り付けようとした場合、非常に貼りづらいという作業上の欠点があった。
【０００６】
さらに、作業中に指先が接着剤面に触れるために、皮脂等が付着し、接着力を低下させ、郵送中の剥離事故につながる恐れもあった。
【０００７】
【発明が解決しようとする課題】
そこで、本発明は、再貼付可能な粘着性接着剤を塗布した三つ折形態の情報隠蔽郵便はがきで、カバーシートの再貼付が容易であるばかりでなく、カバーシートを再貼付した際の接着不良が起すことがなく、しかも再貼付後に開被開始部を切り飛ばすことにより、皮脂等の付着に伴う接着力低下から懸念される郵送時の剥離事故を防止し、且つ一枚目控紙部が複写紙の機能を兼ね備えるシーラー不要情報隠蔽郵便はがきを提供することを課題とするものである。
【０００８】
【課題を解決するための手段】
本発明は、上記の課題を解決するためになされたもので、本体の秘匿情報を記載した面に再貼付可能なカバーシートを連接した三つ折り形態の情報隠蔽郵便はがきにおいて、カバーシート面のほぼ中央の、折り位置ガイド部を施し、その折り曲げ位置で、接着剤塗布面側に折り曲げることで、受取人が情報欄に追記する際に懸念される接着剤の接着力低下及び追記中の受取人の手と接着剤面が接触した場合の接着剤のベタツキによる作業性の煩わしさを防ぐようにしたものである。
【０００９】
また、カバーシートを剥離し折り畳む際のカバーシート面の右側辺に切り取り用ミシンを施して開披開始部を設け、再貼付後に開披開始部を切り飛ばすことにより、皮脂等の付着に伴う接着力低下から懸念される郵送時の剥離事故を防止するようにしたものである。
【００１０】
また、本体カバーシート面と対向する控紙裏面側に離型材を塗布することにより、一枚目控紙部が複写紙と剥離紙の機能を兼ね備えるようにしたシーラー不要秘匿情報隠蔽郵便はがきである。
【００１１】
【発明の実施の形態】
図１〜図１８は、本発明を送付人の控紙を含めた複写帳票形態の三つ折り６面はがきタイプの「督促状」に適用した実施例を示すもので、図１は３枚構成の送付人の控紙イ、三つ折り６面郵便はがき（以下、郵便はがきという）ロ、剥離紙ハを分解して示した分解斜視図、図２はその断面図である。
【００１２】
図３〜図５は控紙イの構成を示すもので、図３は表面図、図４はその裏面図、図５は断面図である。
【００１３】
控紙イの構成は、Ａ片，Ｂ片，Ｃ片から成り，Ａ片の表面には図３に示すようにあて先印字面、データ印字面及び剥離紙面が設けられ、剥離紙面の裏面には、図４に示すように、離型剤３が塗布されている。なお、この控紙イは図５に示すように裏面全面に顕色剤６を塗布した公知の複写用紙が用いられている。
【００１４】
図６〜図８は郵便はがきロの構成を示すもので、図６は表面図、図７はその裏面図、図８は断面図である。
【００１５】
この郵便はがきロの構成は、Ｄ片、Ｅ片、Ｆ片からなる３連のシートから成り、Ｄ片の表面には往信時宛名欄が、Ｅ片の表面にはデータ印字面が、Ｆ片の表面には粘着性弱粘接着剤４が塗布されており、ほぼ中央部には折位置ガイド部２を、又右下角部にミシン線１ｂを施し、開披開始部５が設けられている。
【００１６】
そしてこの郵便はがきロのＤ片の裏面には図７および図８に示すように粘着性弱粘接着剤４が塗布され、Ｅ片の裏面には図７に示すように返信時宛名欄が設けられている。なお、この郵便はがきロは図８に示すように表面全体に発色剤７を塗布した公知の複写用紙が用いられている。
【００１７】
図９は剥離紙ハの平面図、図１０はその断面図を示すもので、３は裏面に塗布した離型剤である。
【００１８】
次にその使用法について説明すると、送付人は図１に示す３枚セットの複写帳票の状態で、インパクトプリンタを使用してデータの出力を行う１、２枚目を複写用紙にすることで、図３のＡ片、Ｂ片に印書された内容は、そのまま図６の２枚目Ｄ片、Ｅ片に転写される。この場合の複写用紙とは、あくまでも２枚目に転写する機能を有していれば良く、一般の感圧紙（ノーカーボン紙）、裏カーボン用紙の使用、又は印刷加工による顕色剤塗布等その方式は限定されるべきものではない。
【００１９】
図４に示す通り、１枚目（送付人控紙イ）のＣ片裏面側には、あらかじめ離型剤３をそれぞれ塗布することで離型処理が施されている。図６の２枚目の郵便はがきロのＦ片表面には、あらかじめ再貼付可能な粘着性弱粘接着剤４が塗布されており、１枚目のＣ片が前記２枚目のＦ片表面の剥離紙としての機能を併せ持つことが可能となり、別途剥離紙を挿入する必要がなくなる。
【００２０】
図７に示す通り、２枚目（郵便はがきロ）のＤ片裏面側には、前述の粘着性弱粘接着剤４が塗布されており、この面に対向する図９にした３枚目の剥離紙ハの表面には、前述の離型剤３が塗布された離型処理が施されている。この３枚目はあくまでも２枚目（郵便はがきロ）のＤ片裏面の剥離紙としての機能を有していれば良く、その材質は、離型剤と紙、離型剤とフィルムなど限定されるものではない。
【００２１】
送付人が１枚目、２枚目、３枚目を分離した状態において、図６、図７で示す通り、２枚目（郵便はがきロ）はミシン線１、１ａを介して三連接となっている。Ｄ片表面を往信時の受取人宛名記載欄として使用し、Ｅ片表面は、秘匿情報記載面、Ｆ片は前記Ｅ片に記載された秘匿情報を隠蔽するためのカバーシートとして使用する。またＥ片裏面には、返信時のための送付人宛名を記載している。この配置をとることにより、一般の郵便往復はがきを使用した場合の返信はがき面に添付物の貼付不可という郵便法上の問題をクリアすることができる。
【００２２】
またＦ片表面及びＤ片裏面には、前述の粘着性弱粘接着剤４が塗布されているため、図１１の通りＦ片表面に隣接するＥ片表面側と、Ｄ片裏面に隣接するＥ片裏面側にそれぞれミシン線１，１ａに沿って折り畳むことで、送付人は手作業にて容易に三つ折り６面はがきを作成することができる。
【００２３】
図１２〜図１８は受取人が送付物の秘匿情報を確認した後、必要事項を追記して、再投函するまでの状態を示しており、図１２は受取人が返信時に不要な往復時宛名記載Ｄ片を開披中の斜視図、図１３は前記Ｄ片を完全に開披した後にミシン線１に沿って切り離した状態を示す斜視図、図１４は受取人が秘匿情報の内容を確認するために開披中を示す斜視図、図１５は受取人が秘匿情報記載面Ｅ片からカバーシートＦ片を完全に開披した状態を示す斜視図である。
【００２４】
図１６は受取人が必要事項を追記する際に、カバーシートを、一旦折位置ガイド部２に沿って折り畳む状態を示す斜視図で、図１７は受取人が再投函する際に、前記折位置ガイド部２に沿って折り畳んだカバーシートを再度広げて秘匿情報記載欄Ｅ片に貼付ける状態を示す斜視図、図１８は開披開始部をミシン線１ｂに沿ってきり飛ばした状態を示す斜視図である。
【００２５】
前述のとおり、カバーシートとなるＦ片には、粘着性弱粘接着剤４が塗布されている為、受取人は図６に示す開披開始部５を指でつまみ開披することが可能となる。同様にＤ片にも前述の粘着性弱粘接着剤４が塗付されている為、開披することが可能となる。さらに返信時に不要となるＤ片は、隣接するＥ片との間に、ミシン線１が施されている為に、受取人は図１３に示すとおり、このミシン線１に沿ってＤ片を切り飛ばすことが可能となる。
【００２６】
図１６に示すとおり受取人が秘匿情報記載欄Ｅ片に必要事項を追記する際、図６に示すカバーシートＦ片のほぼ中央部に設けられた折位置ガイド部２の部分から、糊塗布面側に折り畳むことによって、皮脂等の付着による粘着性弱粘接着剤４の接着力低下を防ぐことができる。折位置ガイド部２は、印刷や印書によりその位置を表示しただけでも、折れ筋加工を施したものでも特に限定されるべきものではないが、受取人が、比較的容易に折り畳むことができ、尚且つ図１７に示すとおり返信時に秘匿情報部Ｅ片のカバーシートとして、広げて再貼付した際に、Ｅ片との密着性をより高める為に、好ましくはミシン線を施すことが有効である。
【００２７】
また、秘匿情報記載欄Ｅ片とカバーシートＦ片は図６に示すとおり、ミシン線１ａを介して隣接しており、受取人が開披した際も切り取られることがない為、再貼付する場合に貼付ズレを防止することができる。なお、ミシン線１ａは切り取るためのものではなく、あくまでも前述のとおり、送付人が三つ折り六面はがきを作成する際に、容易に折り曲げられることが目的であるため、折れ筋であっても良い
【００２８】
図１８は前述の秘匿情報記載欄Ｅ片に隣接するカバーシートＦ片を再貼付した状態を示しており、さらに図６に示した開披開始部５をミシン線１ａに沿って切り飛ばすことにより、郵便局の仕分機にかけた際、皮脂の付着により接着力の低下した開披開始部５の個所からの剥離事故を防ぐことができる。本実施例においては、ミシン線１ｂに沿った開披開始部５を図６に示すＦ片右下に設けているが、この機能はあくまでも開披する為に一度手に触れた個所を切り飛ばす機能を有りするものであり、その形状、設定位置は限定されるものではない。
【００２９】
【発明の効果】
以上の説明から明らかなように、本発明によれば、構造及びカバーシートの際貼付が簡単で、しかもカバーシートを再貼付したときに接着不良を生じないシーラー不要秘匿情報隠蔽往復はがきを提供することができる。
【図面の簡単な説明】
【図１】  本発明の一実施例を示す分解斜視図。
【図２】  実施例の断面図。
【図３】  控紙の表面図。
【図４】  控紙の裏面図。
【図５】  控紙の断面図。
【図６】  郵便はがきの表面図。
【図７】  郵便はがきの裏面図。
【図８】  郵便はがきの断面図。
【図９】  剥離紙の平面図。
【図１０】  剥離紙の断面図。
【図１１】  三つ折郵便はがきとした場合の斜視図と断面図。
【図１２】  三つ折郵便はがきのＤ片を開披中の斜視図。
【図１３】  Ｄ片を切り離した三つ折郵便はがきの斜視図。
【図１４】  カバーシート開披中の状態の三つ折郵便はがきの斜視図。
【図１５】  カバーシートを完全に開披した状態を示す斜視図。
【図１６】    郵便はがきに追記する際の操作説明図。
【図１７】  郵便はがきに追記後に再度隠蔽する手順を示す説明図。
【図１８】  郵便はがきに追記後、再投函する際の直前処理の説明図。
【符号の説明】
イ      控紙
ロ      往復郵便はがき
ハ      剥離紙
１，１ａ，１ｂ      ミシン線
２      折位置ガイドマーク
３      離型剤
４      粘着性弱粘接着剤
５      剥離開始部
６      顕色剤
７      発色剤
【図１】
0003965598.tif 000002
【図２】
0003965598.tif 000003
【図３】
0003965598.tif 000004
【図４】
0003965598.tif 000005
【図５】
0003965598.tif 000006
【図６】
0003965598.tif 000007
【図７】
0003965598.tif 000008
【図８】
0003965598.tif 000009
【図９】
0003965598.tif 000010
【図１０】
0003965598.tif 000011
【図１１】
0003965598.tif 000012
【図１２】
0003965598.tif 000013
【図１３】
0003965598.tif 000014
【図１４】
0003965598.tif 000015
【図１５】
0003965598.tif 000016
【図１６】
0003965598.tif 000017
【図１７】
0003965598.tif 000018
【図１８】
0003965598.tif 000019